(57)【特許請求の範囲】
【請求項１】
雨衣を収納する収納部を備え、かつ、上部に設けた第１係止具によってランドセルの吊りカン又は肩ベルトに係止されて該ランドセルのカブセを覆う収納袋と、該雨衣の襟元付近に設けた第２係止具によって該収納袋に係止された前記雨衣と、を少なくとも有するランドセル用雨衣であって、該収納袋が、前記収納部の左右の端部に設けられ横方向に回動開閉するそれぞれの横蓋と、該収納部の下端部に設けられて上下方向に回動し、該収納部を前記それぞれの横蓋ごと纏めて蓋をする大蓋と、該大蓋を該収納袋上部に係止させるスナップボタンと、を少なくとも備え、かつ、前記雨衣が、前記収納袋に収納できるよう所定の幅になるように畳んだ後に、裾から肩方向に向かって巻上げて、前記収納袋に収納した後、該スナップボタンを係止状態から解放することによって、前記大蓋及び前記横蓋が自重によって開放され、それに伴って、前記雨衣の裾が重力によって自然に落下して該雨衣が展開し、ランドセルを下ろさずとも、該雨衣を装着できることを特徴とするランドセル用雨衣。
【請求項２】
前記横蓋が、斜め下方に向かって開放することを特徴とする請求項１に記載のランドセル用雨衣。
【請求項３】
前記収納袋が、前記カブセを挿入する袋部を備えたことを特徴とする請求項１又は２に記載のランドセル用雨衣。
【請求項４】
前記雨衣の後身頃の裾が、該雨衣の前身頃の裾より長いことを特徴とする請求項１又は２又は３に記載のランドセル用雨衣。
【請求項５】
前記収納袋の外側に第２収納部を設けたことを特徴とする請求項１から４のいずれかに記載のランドセル用雨衣。
【発明の詳細な説明】
【技術分野】
【０００１】
本発明は、ランドセルを背負ったままの状態で着ることができる雨衣に関するものである。
【背景技術】
【０００２】
従来、通常の雨衣は、ランドセルを背負った状態では、背中のランドセルが邪魔となって着にくく、また、ランドセルがあるために、うまく雨衣で全身を覆うことができずに濡れてしまうという問題があった。
【０００３】
そこで、従来、ランドセルを背負った状態でも着装できるカッパが発明されており、例えば、蛇腹状にカッパを畳んで袋に収納し、ファスナーを開けるとカッパが自然に落下して展開するカッパ付かばんの先行技術が開示されている（参考文献１）。
【先行技術文献】
【特許文献】
【０００４】
【特許文献１】実開平４−１６９２１号公報
【発明の概要】
【発明が解決しようとする課題】
【０００５】
特許文献１の先行技術には、ランドセルごとカッパを着ることができること、また、ファスナーを開けば蛇腹状に折り畳んだカッパが自然落下して展開すること、また、カッパがかばんの一部に固着しているので、かばんからカッパが落下しないことが開示されているが、例えば、ランドセルを背負った状態のままではカッパを着装することはできないので、雨宿りできない箇所でいきなり降り出した雨に対しては、カッパを装着するまでは濡れてしまうという問題があった。また、特許文献１には、別の形態が記載されており、紐を引っ張るとホックが外れ、カバーが外れることが記載されているが、長い紐が首の周りにあれば、首に紐が絡む事故が起こりかねず大変危険であるし、また、カバーが外れてもランドセルの上部から自然落下するか不明であり、さらに、蛇腹状に畳んでいるので、カバーに引っかかって落下しないおそれがあった。また、ランドセルカバーに装着すると上方に飛び出した形状となって、外観が不細工になるという問題があった。
【０００６】
本発明は、これらの問題を解決したものであって、ランドセルを背負った状態のまま雨衣を着ることができると共に、ランドセルカバーと一体となった袋内に雨衣が収納されており、外観がスマートであるランドセル用雨衣を提供するものである。
【課題を解決するための手段】
【０００７】
上記の目的を達成するために、本願発明の請求項１に係るランドセル用雨衣は、雨衣を収納する収納部を備え、かつ、上部に設けた第１係止具によってランドセルの吊りカン又は肩ベルトに係止されて該ランドセルのカブセを覆う収納袋と、該雨衣の襟元付近に設けた第２係止具によって該収納袋に係止された前記雨衣と、を少なくとも有するランドセル用雨衣であって、該収納袋が、前記収納部の左右の端部に設けられ横方向に回動開閉するそれぞれの横蓋と、該収納部の下端部に設けられて上下方向に回動し、該収納部を前記それぞれの横蓋ごと纏めて蓋をする大蓋と、該大蓋を該収納袋上部に係止させるスナップボタンと、を少なくとも備え、かつ、前記雨衣が、前記収納袋に収納できるよう所定の幅になるように畳んだ後に、裾から肩方向に向かって巻上げて、前記収納袋に収納した後、該スナップボタンを係止状態から解放することによって、前記大蓋及び前記横蓋が自重によって開放され、それに伴って、前記雨衣の裾が重力によって自然に落下して該雨衣が展開し、ランドセルを下ろさずとも、該雨衣を装着できることを特徴とする。
【０００８】
この構成を採用することにより、本発明に係るランドセル用雨衣は、収納袋と雨衣とを少なくとも備えている。収納袋には、収納部があり、その収納部に雨衣を収納することができる。また、収納袋には、ランドセルの吊りカン又はランドセルの肩ベルトに留めるための第１係止具が備えており、ランドセルのカブセの外側を覆っている。よって、収納袋は、ランドセルカバーとして使えるので、雨が降っていない場合には、ランドセルに汚れや傷がつくことを防止できるし、収納袋を、黄色、ピンク色、水色等の視認性の高い色にすれば目立つので、ドライバーから視認されやすくなり交通事故に巻き込まれにくくなる。また、第１係止具があるので、ランドセルから外れて落下することはない。
【０００９】
また、収納袋の収納部の左右の端部には、横方向に観音開き状に開閉するそれぞれの横蓋が設けられており、また、収納部の下端部には、上下方向に回動し、下から上に向かって、２つの横蓋ごと蓋をする大蓋が設けられており、大蓋は、収納袋上部で第３係止具によって、留めた状態を保つことができる。これによって、収納袋の第３係止具を係止状態から解除して外すと、大蓋の自重で下方向に回動して開き、それに伴って、大蓋が左右それぞれの横蓋を拘束できなくなって、横蓋はそれぞれ外側方向に観音開きをする。これによって、収納部に収納されていた雨衣の裾は、収納部から落下することになる。
【００１０】
また、雨衣は、襟元に、収納袋に対して着脱自在に係止できる第２係止具によって係止されている。よって、収納部のそれぞれの蓋が開いた後でも、雨衣の裾は落下していっても、雨衣の襟元は収納袋に引っかかっているので、雨衣自体は落下しないで、雨衣を展開させることができる。これによって、本発明に係るランドセル用雨衣を使用する子供は、ランドセルを背負った状態のまま、まず、雨衣のフードをつかんで被り、次に、雨衣の前身頃をつかんで前身頃を前に持っていき、前身頃を閉じれば、雨衣の装着が完了する。よって、雨宿りできる場所がなくとも使用者は雨に濡れないし、また、ランドセルの下ろして背負うという手間をかけずに、雨衣を着装できる。また、雨衣は収納袋から外すことができるので、雨衣を乾燥しやすくなる。また、雨衣を収納袋に収納した状態では、ランドセルのカブセで頭部を覆えば、本発明に係るランドセル用雨衣がクッションとなるので、万一の場合には防災頭巾としても使用できる。
【００１１】
本願発明の請求項２に係るランドセル用雨衣は、請求項１に記載のランドセル用雨衣において、前記横蓋が、斜め下方に向かって開放することを特徴とする。また、本願発明の請求項３に係るランドセル用雨衣は、請求項１又は２に記載のランドセル用雨衣において、前記収納袋が、前記カブセを挿入する袋部を備えたことを特徴とする。
【００１２】
これらの構成によって、左右の横蓋は、大蓋からの拘束が解かれるだけでなく、横蓋自体の自重によって自然に横蓋を観音開きさせることができる。また、第３係止具が、単数又は複数個のスナップボタンや面テープなので、体の柔らかい子供は、簡単に首の後に位置した第２係止具による係止状態を解除できる。また、収納部に収納された雨衣が、収納部の幅に収まるように、内側に畳んだ後に、裾部を下から上に向かって巻上げて、最後にフードを畳んで収納させている。これらによって、収納部に収納された雨衣の裾を、簡単、かつ、抵抗なくスムーズに落下させることができると共にフードをつかむことができる。また、本発明に係るランドセル用雨衣の収納袋は、ランドセルのカブセを袋部に挿入して固定できるので、しっかりとカブセを保護できるし、収納袋がぶらつかないので、ランドセルを背負っている子供は、安定した行動ができる。なお、袋部には、ランドセルのベロ（錠前含む。）を出すための穴が開いている。
【００１３】
本願発明の請求項４に係るランドセル用雨衣は、請求項１又は２又は３に記載のランドセル用雨衣において、前記雨衣の後身頃の裾が、該雨衣の前身頃の裾より長いことを特徴とする。また、本願発明の請求項５に係るランドセル用雨衣は、請求項１から４のいずれかに記載のランドセル用雨衣において、前記収納袋の外側に第２収納部を設けたことを特徴とする。
【００１４】
これらの構成によって、雨衣の後身頃の裾が、前身頃に比べて長く設けられているので、雨衣の背中部にランドセルが在っても、子供の背中側とおなか側の裾の長さが、ほぼ同じ長さとなって脹脛や踵が濡れるの防止できる。また、収納袋のランドセルと反対側の外側に、体操服、上靴、給食袋等を収納できる第２収納部を設けられているので、子供たちは、それらを収納させることができ、ランドセルの横のナスカンにぶら下げないので、思わぬところに吊下物が引っかかることがなくなり、安全に登下校できる。
【発明の効果】
【００１５】
本発明に係る請求項１から５に記載のランドセル用雨衣によれば、ランドセルを背負った状態のまま、雨衣を簡単に着装することができる。また、ランドセルが汚れたり、傷ついたりするのを防止できる。また、災害時には、防災頭巾とすることも可能である。また、視認性の高い色に着色すればドライバーからの視認性がよくなり、また、体操服、上靴、給食エプロン等を収納することができ、引っ掛かりによる思わぬ事故を防止できるので、安全に登下校できる。また、外観もスマートでよい。
【図面の簡単な説明】
【００１６】
【図１】本発明の実施するための形態に係るランドセル用雨衣であって、ランドセルのカブセに装着した状態を示す模式的斜視図である。
【図２】本発明の実施するための形態に係るランドセル用雨衣であって、（ａ）は、雨衣を着装した状態示す模式的斜視図であり、（ｂ）は、雨衣を着装した状態示す模式的側面図である。
【図３】本発明の実施するための形態に係るランドセル用雨衣であって、（ａ）は収納袋の外側の模式的平面図、（ｂ）は、収納袋の内側（ランドセル側）の模式的平面図、（ｃ）は、雨衣の模式的平面図である。
【図４】本発明の実施するための形態に係るランドセル用雨衣であって、雨衣を収納袋に収納する手順を示しており、（ａ）は、所定の幅に畳もうとしている状態を示す模式的斜視図、（ｂ）は、裾を巻き上げている状態を示す模式的斜視図である。
【図５】本発明の実施するための形態に係るランドセル用雨衣であって、雨衣を装着する際の手順を示しており、（ａ）は、スナップボタンを外そうとしている状態を示す模式的斜視図、（ｂ）は、裾が落下している状態を示す模式的斜視図、（ｃ）は、前身頃を閉じようとしている状態を示す模式的斜視図である。
【発明を実施するための形態】
【００１７】
図１、図２に示すように、本発明に係るランドセル用雨衣１は、少なくとも収納袋２と雨衣１０を備えている。
【００１８】
図３（ａ）に示すように、収納袋２は、合成樹脂製であって、上部側に雨衣１０を収納する収納部２−１が設けられ、その収納部２−１の両横端には、横方向に観音開きに回動する左右の横蓋４が設けられている。ここで横蓋４は、斜め下に向かって開くように設けられている。また、その２つの横蓋４ごと纏めて、収納部２−１の下端部から上向きに回動させて蓋をする大蓋３が設けられ、大蓋３と、収納袋の上端部付近と、に設けられたスナップボタン（第３係止具）７によって大蓋３は係止状態を維持し、収容物の雨衣１０は、収納部２−１に畳まれ巻上げられた状態を維持することができる。そして、子供１００が、肩越しに背中に手を回し、スナップボタン７の係止状態を解除することによって、大蓋３の上部は、重力に従って  回動しながら下部に落下して開く。それに伴い、大蓋３による拘束状態を解除された横蓋４も、重力に従って観音開きに開かれることになる。よって、収納部２−１に収納された雨衣１０は、拘束をとかれ、雨衣１０の裾１１は、重力に従って、自然に落下することになる。
【００１９】
また、収納袋２は、ランドセル２０のカブセ２を２箇所のガイド２−３に通し、さらに袋部２−２に挿入し、ランドセルのベロ（錠前を含む。）袋部２−２の穴から出した後に、面テープ（第１係止具）５によって、ランドセル２０の吊りカン２１に着脱自在に固定することができるので、収納袋２が、振られたり、ランドセル２０から落下することはない。なお、面テープ（第１係止具）５を外せば、収納袋２を干したりできる。
【００２０】
また、収納袋２の下部側には、体操服や給食袋や上靴等を収納できる第２収納部８を設けている。よって、体操服、給食袋、上靴等を第２収納部８に収納できる。よって、子供１００たちは、ランドセルの横のナスカン２３にぶら下げないので、思わぬところに体操服、給食袋、上靴等の吊下物が引っかかることがなくなり、安全に登下校できる。
【００２１】
図３（ｂ）に示すように、雨衣１０は、例えば、ポリエステルのような合成樹脂製であって、フード１３付のポンチョタイプのものが、簡単に着装できるし、ランドセルや脚部まで覆うことができるので濡れにくく好適であるが、カッパの上着でも良い。雨衣１０の首の後ろの襟元には、面テープ（第２係止具）６−１が設けられており、吊りカン２１に通して輪状になった面テープ（第１係止具）５の外側に設けられた面テープ（第２係止具）６−２に着脱自在に固定される。よって、雨衣１０は、大蓋３と横蓋４とが開放され、雨衣１０の裾１１が落下していっても、雨衣自体が落下することなく、袖１２に腕を通し、雨衣１０の前留ボタン１２を閉じれば、雨衣１０の着装は完了する。なお、面テープ（第２係止具）６−１、６−２を外せば、収納袋２から雨衣１０を分離できるので、雨衣１０を干しやすくなる。
【００２２】
次に、本発明に係るランドセル用雨衣１の使用方法の一例を図４、図５を用いて説明する。まず、ランドセル２０のカブセ２２を、本発明に係るランドセル用雨衣１の収納袋２のガイド２−３に通して袋部２−２に挿入した後に、面テープ（第１係止具）５を吊りカン２１に通して、収納袋２をランドセル２０に固定すれば、使用できる状態となる。コンパクトですっきりしており外観がよい。次に、子供１００の登下校の時に突然、雨が降り出した際に、子供１００は、肩越しにランドセル２０上にある収納袋２のスナップボタン７に手をかけて外す。すると、大蓋３の上部は、重力に従って  回動しながら下部に落下して開く。それに伴い、大蓋３による拘束状態を解除された横蓋４も、重力に従って観音開きに開かれることになる。よって、収納部２−１に収納された雨衣１０は、拘束をとかれ、雨衣１０の裾１１は、重力に従って、自然に落下し、展開することになる。子供１００は、ランドセル２０を覆うように垂れた雨衣１０を掴んで、フード１３を被り、そして、左右の前身頃をつかんで、体の前に持っていき、前留ボタン１２を閉めれば、着装状態にり使用できる。なお、子供１００は、体が柔らかく、背中に簡単に腕が回るので、スナップボタン７を外すのも簡単である。また、雨衣１０は、前身頃の縦縁と、裾１１の色を分けておけば、目印になり、子供１００は前身頃を閉じる際に、スムーズに前身頃の前留ボタン１２を見つけることができる。
【００２３】
また、使用後は、雨衣１０の面テープ（第２係止具）６−１、６−２を収納袋２から外して分離し、簡単に干すことができる。乾燥後は、面テープ（第２係止具）６−１、６−２を収納袋２に取り付けて、一体とし、収納袋２の収納部２−１に入る幅になるように内側に畳み、その後、裾１１から肩方向に向かって下から巻き上げながらコンパクトにし、そして、フード１３を下側に折り返して畳み、雨衣１０全体を収納部２−１に収納して、それぞれの横蓋４を閉じ、最後に大蓋３を閉じてスナップボタン７を閉めれば、降雨時にいつでも使用可能となる。なお、雨衣１０を収納袋２に収納するのは、ランドセル２０に取り付けた状態でもよいし、収納してから取り付けても、どちらでもよい。
【００２４】
本発明に係るランドセル用雨衣１を用いれば、ランドセル２０を背負った状態のまま、雨衣１０を簡単に着装することができるので、簡単で手間がかからず、また、安全で濡れない。また、カブセ２２を覆うので、ランドセル２０が汚れたり、傷ついたりするのを防止できる。また、災害時には、防災頭巾とすることも可能である。また、視認性の高い色に着色すればドライバーからの視認性がよくなり、また、体操服、上靴、給食エプロン等を収納することができ、引っ掛かりによる思わぬ事故を防止できるので、安全に登下校できる。
【産業上の利用可能性】
【００２５】
服飾の分野に広く利用することができる。
【符号の説明】
【００２６】
１：ランドセル用雨衣
２：収納袋                    ２−１：収納部        ２−２：袋部
３：大蓋                          ４：横蓋
５：面テープ（第１係止具）      
６−１：面テープ（雨衣）（第２係止具）      
６−２：面テープ（収納袋）（第２係止具）
７：スナップボタン（第３係止具）
８：第２収納部
１０：雨衣
１１：裾                          １２：前留ボタン
１３：フード                      
２０：ランドセル                  ２１：吊りカン          ２２：カブセ
２３：ナスカン
１００：子供
【要約】
【課題】ランドセルを背負った状態のまま雨衣を着ることができると共に、ランドセルカバーと一体となった袋内に雨衣が収納されており、外観がスマートであるランドセル用雨衣を提供する。
【解決手段】雨衣を収納する収納部を備え、かつ、ランドセルのカブセを覆う収納袋と、前記雨衣と、を少なくとも有するランドセル用雨衣であって、該収納袋が、横方向に回動開閉するそれぞれの横蓋と、該収納部を前記それぞれの横蓋ごと蓋をする大蓋と、該大蓋を該収納袋上部に係止させる第３係止具と、を少なくとも備え、また、該第３係止具を係止状態から解放することによって、前記大蓋及び前記横蓋が自重によって開放され、それに伴って、前記雨衣の裾が重力によって自然に落下して該雨衣が展開し、ランドセルを下ろさずとも、該雨衣を装着できることを特徴とする。
【選択図】図１【図１】
0006744960.tif 000002
【図２】
0006744960.tif 000003
【図３】
0006744960.tif 000004
【図４】
0006744960.tif 000005
【図５】
0006744960.tif 000006